(57)【要約】【課題】情報家電機器に蓄積されたコンテンツデータを、極めて短い時間で携帯端末へ転送することができるデータ転送方法、サーバ及びプログラムを提供する。【解決手段】セットトップボックス（サーバ）が、情報家電機器（情報装置）から、複数のコンテンツＩＤを含むＴＯＣ(Table Of Contents)情報を受信する。次に、セットトップボックスが、携帯端末へ、ＴＯＣ情報を送信し、携帯端末が、利用者に、ＴＯＣ情報の中から、当該携帯端末に記録すべきコンテンツデータのコンテンツＩＤを選択させ、携帯端末が、選択コンテンツＩＤをセットトップボックスへ送信する。次に、セットトップボックスが、選択コンテンツＩＤを情報家電機器へ送信し、情報家電機器から、選択コンテンツＩＤに対応するコンテンツデータを受信する。そして、利用者が帰宅し、セットトップボックスに携帯端末が接続された際に、携帯端末へコンテンツデータを送信する。【選択図】図１
2008186204.tif 000002
【特許請求の範囲】
【請求項１】
ローカルネットワークに接続されたサーバと、該ローカルネットワークに接続され且つコンテンツデータを蓄積した情報装置と、前記サーバと移動ネットワークを介して通信する携帯端末とを有するシステムにおけるデータ転送方法であって、
前記サーバが、前記情報装置から、複数のコンテンツ識別子を含むコンテンツテーブルを受信する第１のステップと、
前記サーバが、前記携帯端末へ、前記コンテンツテーブルを送信する第２のステップと、
前記携帯端末が、利用者に、前記コンテンツテーブルの中から、当該携帯端末に記録すべきコンテンツデータのコンテンツ識別子を選択させる第３のステップと、
前記携帯端末が、選択コンテンツ識別子を前記サーバへ送信する第４のステップと、
前記サーバが、前記選択コンテンツ識別子を前記情報装置へ送信し、前記情報装置から、前記選択コンテンツ識別子に対応するコンテンツデータを受信する第５のステップと、
前記サーバに前記携帯端末が接続された際に、前記サーバが、前記携帯端末へ前記コンテンツデータを送信する第６のステップと
を有することを特徴とするデータ転送方法。
【請求項２】
前記情報装置は、情報家電機器であり、
前記ローカルネットワークは、ホームネットワークであり、
前記サーバは、セットトップボックス又はブロードバンドルータであり、
前記携帯端末は、携帯電話機又は携帯音楽再生装置である
ことを特徴とする請求項１に記載のデータ転送方法。
【請求項３】
第６のステップについて、前記サーバにケーブルを介してクレードルが接続されており、該クレードルに前記携帯端末が接続された際に、前記サーバが、前記携帯端末へ前記コンテンツデータを送信することを特徴とする請求項１又は２に記載のデータ転送方法。
【請求項４】
第６のステップについて、前記ローカルネットワークに前記携帯端末が接続された際に、前記サーバが、前記携帯端末へ前記コンテンツデータを送信することを特徴とする請求項１又は２に記載のデータ転送方法。
【請求項５】
前記コンテンツテーブルは、ＴＯＣ(Table Of Contents)情報であり、
第１のステップについて、前記サーバは、ＤＬＮＡ(Digital Living Network Alliance)ガイドラインを用いて前記情報装置から前記ＴＯＣ情報を受信し、
第２のステップについて、前記携帯端末が前記移動ネットワークを介して前記サーバへアクセスした際に、前記サーバが前記携帯端末へ前記ＴＯＣ情報を送信し、
第３のステップについて、前記携帯端末が、前記ＴＯＣ情報のリストをディスプレイに表示し、利用者に、当該携帯端末に記録すべきコンテンツデータのコンテンツ識別子を前記ＴＯＣ情報のリストの中から選択させる
ことを特徴とする請求項１から４のいずれか１項に記載のデータ転送方法。
【請求項６】
第５のステップについて、前記サーバは、更に、前記情報装置から受信した前記コンテンツデータを、携帯端末用のデータ形式にトランスコーディングすることを特徴とする請求項１から５のいずれか１項に記載のデータ転送方法。
【請求項７】
コンテンツデータを蓄積した情報装置とローカルネットワークを介して接続され、携帯端末と移動ネットワークを介して通信するサーバであって、
前記情報装置から、複数のコンテンツ識別子を含むコンテンツテーブルを受信するコンテンツテーブル取得手段と、
前記携帯端末へ、前記コンテンツテーブルを送信するコンテンツテーブル送信手段と、
前記携帯端末から、利用者によって選択された選択コンテンツ識別子を受信する選択コンテンツ識別子受信手段と、
前記選択コンテンツ識別子を前記情報装置へ送信し、前記情報装置から、前記選択コンテンツ識別子に対応するコンテンツデータを受信するコンテンツデータ取得手段と、
前記サーバに前記携帯端末が接続された際に、前記携帯端末へ前記コンテンツデータを送信するコンテンツデータ送信手段と
を有することを特徴とするサーバ。
【請求項８】
前記サーバは、セットトップボックス又はブロードバンドルータであり、
前記ローカルネットワークは、ホームネットワークであり、
前記情報装置は、情報家電機器であり、
前記携帯端末は、携帯電話機又は携帯音楽再生装置である
ことを特徴とする請求項７に記載のサーバ。
【請求項９】
前記コンテンツデータ送信手段は、ケーブルに接続され、そのケーブルの先にクレードルが接続されており、該クレードルに前記携帯端末が接続された際に、前記携帯端末へ前記コンテンツデータを送信することを特徴とする請求項７又は８に記載のサーバ。
【請求項１０】
前記コンテンツデータ送信手段は、前記携帯端末が前記ローカルネットワークに接続されたことを知った際に、前記携帯端末へ前記コンテンツデータを送信することを特徴とする請求項７又は８に記載のサーバ。
【請求項１１】
前記コンテンツテーブルは、ＴＯＣ情報であり、
コンテンツテーブル取得手段は、ＤＬＮＡガイドラインを用いて前記情報装置から前記ＴＯＣ情報を受信し、
コンテンツテーブル送信手段は、前記携帯端末が前記移動ネットワークを介して前記サーバへアクセスした際に、前記携帯端末へ前記ＴＯＣ情報を送信する
ことを特徴とする請求項７から１０のいずれか１項に記載のサーバ。
【請求項１２】
前記情報装置から受信した前記コンテンツデータを、携帯端末用のデータ形式にトランスコーディングするトランスコーディング手段を更に有することを特徴とする請求項７から１１のいずれか１項に記載のサーバ。
【請求項１３】
請求項７から１２のいずれか１項に記載のサーバと、移動ネットワークを介して通信する携帯端末であって、
前記サーバから、前記コンテンツテーブルを受信するコンテンツテーブル受信手段と、
利用者に、前記コンテンツテーブルの中から、当該携帯端末に記録すべきコンテンツデータのコンテンツ識別子を選択させるコンテンツ識別子選択手段と、
選択コンテンツ識別子を前記サーバへ送信する選択コンテンツ識別子送信手段と、
前記サーバに前記携帯端末が接続された際に、前記サーバから前記コンテンツデータを受信するコンテンツデータ受信手段と
を有することを特徴とする携帯端末。
【請求項１４】
コンテンツデータを蓄積した情報装置とローカルネットワークを介して接続され、携帯端末と移動ネットワークを介して通信するサーバに搭載されたコンピュータを機能させるプログラムであって、
前記情報装置から、複数のコンテンツ識別子を含むコンテンツテーブルを受信するコンテンツテーブル取得手段と、
前記携帯端末へ、前記コンテンツテーブルを送信するコンテンツテーブル送信手段と、
前記携帯端末から、利用者によって選択された選択コンテンツ識別子を受信する選択コンテンツ識別子受信手段と、
前記選択コンテンツ識別子を前記情報装置へ送信し、前記情報装置から、前記選択コンテンツ識別子に対応するコンテンツデータを受信するコンテンツデータ取得手段と、
前記サーバに前記携帯端末が接続された際に、前記携帯端末へ前記コンテンツデータを送信するコンテンツデータ送信手段と
してコンピュータを機能させることを特徴とするサーバ用プログラム。
【請求項１５】
請求項７から１２のいずれか１項に記載のサーバと、移動ネットワークを介して通信する携帯端末に搭載されたコンピュータを機能させるプログラムであって、
前記サーバから、前記コンテンツテーブルを受信するコンテンツテーブル受信手段と、
利用者に、前記コンテンツテーブルの中から、当該携帯端末に記録すべきコンテンツデータのコンテンツ識別子を選択させるコンテンツ識別子選択手段と、
選択コンテンツ識別子を前記サーバへ送信する選択コンテンツ識別子送信手段と、
前記サーバに前記携帯端末が接続された際に、前記サーバから前記コンテンツデータを受信するコンテンツデータ受信手段と
してコンピュータを機能させることを特徴とする携帯端末用プログラム。
【発明の詳細な説明】
【技術分野】
【０００１】
本発明は、情報家電機器のコンテンツデータを携帯端末へ転送するデータ転送方法、サーバ及びプログラムに関する。
【背景技術】
【０００２】
近年、パーソナルコンピュータやルータが接続されるホームネットワークに、ＤＶＤ(Digital Video Disk)レコーダやミュージックコンポのような情報家電機器が接続されてきている。このようなネットワークを宅内に構成すると、パーソナルコンピュータ及び情報家電機器の間で、コンテンツデータ（音楽データ、映像データ等）を共有することができる。例えば、情報家電機器に蓄積されたコンテンツデータを、パーソナルコンピュータによって再生することができる。
【０００３】
従来、ホームネットワークに接続された音楽サーバが、音楽データを、携帯音楽再生装置へ転送する技術がある（例えば特許文献１参照）。この技術によれば、利用者は、音楽サーバのディスプレイ及び操作ボタン部を用いて、携帯音楽再生装置へ記録させる音楽データリストを編集する。音楽データ毎に識別子が対応付けられている。音楽サーバは、選択された音楽データの識別子を用いて、所定の情報家電機器（例えばＤＶＤプレーヤ等）から音楽データを取得する。音楽サーバは、取得した音楽データを、携帯音楽再生装置へ転送する。
【０００４】
【特許文献１】特開２００６−２０２４７５号公報
【非特許文献１】「Digital Living Network Alliance(DLNA)」、[online]、平成１９年１月２日検索、インターネット＜URL:http://www.dlna.org/jp/industry/＞
【発明の開示】
【発明が解決しようとする課題】
【０００５】
特許文献１に記載された技術によれば、利用者は、音楽サーバに対して、携帯音楽再生装置へ転送すべき音楽データのリストを編集する必要がある。また、音楽サーバは、利用者によって音楽データのリストの編集がなされた後に、情報家電機器から音楽データを取得し、更にその音楽データを携帯音楽再生装置へ転送する。このような処理シーケンスは、利用者の操作によって行われ、長時間を要し、利便性に欠けるものであった。
【０００６】
また、音楽サーバが、情報家電機器から取得した音楽データに対して、携帯音楽再生装置専用のデータ形式に変換（トランスコーディング）しなければならない場合もある。この場合は、更に長時間を要することとなる。利用者が宅内に滞在する時間が短い場合には、音楽データのデータ形式を変換し且つ転送することができない場合もあり得る。
【０００７】
そこで、本発明は、情報家電機器に蓄積されたコンテンツデータを、極めて短い時間で携帯端末へ転送することができるデータ転送方法、サーバ及びプログラムを提供することを目的とする。
【課題を解決するための手段】
【０００８】
本発明によれば、ローカルネットワークに接続されたサーバと、そのローカルネットワークに接続され且つコンテンツデータを蓄積した情報装置と、サーバと移動ネットワークを介して通信する携帯端末とを有するシステムにおけるデータ転送方法であって、
サーバが、情報装置から、複数のコンテンツ識別子を含むコンテンツテーブルを受信する第１のステップと、
サーバが、携帯端末へ、コンテンツテーブルを送信する第２のステップと、
携帯端末が、利用者に、コンテンツテーブルの中から、当その携帯端末に記録すべきコンテンツデータのコンテンツ識別子を選択させる第３のステップと、
携帯端末が、選択コンテンツ識別子をサーバへ送信する第４のステップと、
サーバが、選択コンテンツ識別子を情報装置へ送信し、情報装置から、選択コンテンツ識別子に対応するコンテンツデータを受信する第５のステップと、
サーバに携帯端末が接続された際に、サーバが、携帯端末へコンテンツデータを送信する第６のステップと
を有することを特徴とする。
【０００９】
本発明のデータ転送方法における他の実施形態によれば、
情報装置は、情報家電機器であり、
ローカルネットワークは、ホームネットワークであり、
サーバは、セットトップボックス又はブロードバンドルータであり、
携帯端末は、携帯電話機又は携帯音楽再生装置であることも好ましい。
【００１０】
本発明のデータ転送方法における他の実施形態によれば、第６のステップについて、サーバにケーブルを介してクレードルが接続されており、そのクレードルに携帯端末が接続された際に、サーバが、携帯端末へコンテンツデータを送信することも好ましい。
【００１１】
本発明のデータ転送方法における他の実施形態によれば、第６のステップについて、ローカルネットワークに携帯端末が接続された際に、サーバが、携帯端末へコンテンツデータを送信することも好ましい。
【００１２】
本発明のデータ転送方法における他の実施形態によれば、
コンテンツテーブルは、ＴＯＣ(Table Of Contents)情報であり、
第１のステップについて、サーバは、ＤＬＮＡ(Digital Living Network Alliance)ガイドラインを用いて情報装置からＴＯＣ情報を受信し、
第２のステップについて、携帯端末が移動ネットワークを介してサーバへアクセスした際に、サーバが携帯端末へＴＯＣ情報を送信し、
第３のステップについて、携帯端末が、ＴＯＣ情報のリストをディスプレイに表示し、利用者に、当その携帯端末に記録すべきコンテンツデータのコンテンツ識別子をＴＯＣ情報のリストの中から選択させることも好ましい。
【００１３】
本発明のデータ転送方法における他の実施形態によれば、第５のステップについて、サーバは、更に、情報装置から受信したコンテンツデータを、携帯端末用のデータ形式にトランスコーディングすることも好ましい。
【００１４】
本発明によれば、コンテンツデータを蓄積した情報装置とローカルネットワークを介して接続され、携帯端末と移動ネットワークを介して通信するサーバであって、
情報装置から、複数のコンテンツ識別子を含むコンテンツテーブルを受信するコンテンツテーブル取得手段と、
携帯端末へ、コンテンツテーブルを送信するコンテンツテーブル送信手段と、
携帯端末から、利用者によって選択された選択コンテンツ識別子を受信する選択コンテンツ識別子受信手段と、
選択コンテンツ識別子を情報装置へ送信し、情報装置から、選択コンテンツ識別子に対応するコンテンツデータを受信するコンテンツデータ取得手段と、
サーバに携帯端末が接続された際に、携帯端末へコンテンツデータを送信するコンテンツデータ送信手段と
を有することを特徴とする。
【００１５】
本発明のサーバにおける他の実施形態によれば、
サーバは、セットトップボックス又はブロードバンドルータであり、
ローカルネットワークは、ホームネットワークであり、
情報装置は、情報家電機器であり、
携帯端末は、携帯電話機又は携帯音楽再生装置であることも好ましい。
【００１６】
本発明のサーバにおける他の実施形態によれば、コンテンツデータ送信手段は、ケーブルに接続され、そのケーブルの先にクレードルが接続されており、そのクレードルに携帯端末が接続された際に、携帯端末へコンテンツデータを送信することも好ましい。
【００１７】
本発明のサーバにおける他の実施形態によれば、コンテンツデータ送信手段は、携帯端末がローカルネットワークに接続されたことを知った際に、携帯端末へコンテンツデータを送信することも好ましい。
【００１８】
本発明のサーバにおける他の実施形態によれば、
コンテンツテーブルは、ＴＯＣ情報であり、
コンテンツテーブル取得手段は、ＤＬＮＡガイドラインを用いて情報装置からＴＯＣ情報を受信し、
コンテンツテーブル送信手段は、携帯端末が移動ネットワークを介してサーバへアクセスした際に、携帯端末へＴＯＣ情報を送信することも好ましい。
【００１９】
本発明のサーバにおける他の実施形態によれば、情報装置から受信したコンテンツデータを、携帯端末用のデータ形式にトランスコーディングするトランスコーディング手段を更に有することも好ましい。
【００２０】
本発明によれば、前述のサーバと、移動ネットワークを介して通信する携帯端末であって、
サーバから、コンテンツテーブルを受信するコンテンツテーブル受信手段と、
利用者に、コンテンツテーブルの中から、当該携帯端末に記録すべきコンテンツデータのコンテンツ識別子を選択させるコンテンツ識別子選択手段と、
選択コンテンツ識別子をサーバへ送信する選択コンテンツ識別子送信手段と、
サーバに携帯端末が接続された際に、サーバからコンテンツデータを受信するコンテンツデータ受信手段と
を有することを特徴とする。
【００２１】
本発明によれば、コンテンツデータを蓄積した情報装置とローカルネットワークを介して接続され、携帯端末と移動ネットワークを介して通信するサーバに搭載されたコンピュータを機能させるプログラムであって、
情報装置から、複数のコンテンツ識別子を含むコンテンツテーブルを受信するコンテンツテーブル取得手段と、
携帯端末へ、コンテンツテーブルを送信するコンテンツテーブル送信手段と、
携帯端末から、利用者によって選択された選択コンテンツ識別子を受信する選択コンテンツ識別子受信手段と、
選択コンテンツ識別子を情報装置へ送信し、情報装置から、選択コンテンツ識別子に対応するコンテンツデータを受信するコンテンツデータ取得手段と、
サーバに携帯端末が接続された際に、携帯端末へコンテンツデータを送信するコンテンツデータ送信手段と
してコンピュータを機能させることを特徴とする。
【００２２】
本発明によれば、前述したサーバと、移動ネットワークを介して通信する携帯端末に搭載されたコンピュータを機能させるプログラムであって、
サーバから、コンテンツテーブルを受信するコンテンツテーブル受信手段と、
利用者に、コンテンツテーブルの中から、当該携帯端末に記録すべきコンテンツデータのコンテンツ識別子を選択させるコンテンツ識別子選択手段と、
選択コンテンツ識別子をサーバへ送信する選択コンテンツ識別子送信手段と、
サーバに携帯端末が接続された際に、サーバからコンテンツデータを受信するコンテンツデータ受信手段と
してコンピュータを機能させることを特徴とする。
【発明の効果】
【００２３】
本発明のデータ転送方法、サーバ及びプログラムによれば、情報家電機器に蓄積されたコンテンツデータを、極めて短い時間で携帯端末へ転送することができる。
【発明を実施するための最良の形態】
【００２４】
以下では、図面を用いて、本発明を実施するための最良の形態について詳細に説明する。
【００２５】
図１は、本発明におけるシステム構成図である。
【００２６】
図１によれば、利用者宅内のホームネットワーク５に、セットトップボックス（サーバ、又はセットトップボックスの機能を有するブロードバンドルータであってもよい）１と情報家電機器（情報装置）２とが接続されている。ホームネットワーク５は、例えばＬＡＮ(Local Area Network)であって、無線でも有線でもよい。また、ブロードバンドルータが、は、であってもよい。
【００２７】
セットトップボックス１は、１つのボックス装置として独立したものであってもよいし、パーソナルコンピュータに本発明に基づくセットトップボックス用ソフトウェアを搭載したものであってもよい。
【００２８】
セットトップボックス１には、ケーブルを介してクレードル４が接続されている。通常、クレードルに携帯端末（携帯電話機、携帯音楽再生装置等）を載せることによって、携帯端末を充電することができる。また、ケーブルの相手側固定通信装置との間で、高速なデータ通信をすることもできる。このとき、クレードルは、携帯端末と、パーソナルコンピュータ（図１によればセットトップボックス１）との間でデータ内容を同期させることもできる。ケーブルには、シリアルポートやＵＳＢ(Universal Serial Bus)ポートが用いられることが多い。
【００２９】
情報家電機器２は、例えば、ＨＤＤ(Hard Disk)／ＤＶＤ(Digital Video Disk)プレーヤ／レコーダ又はパーソナルコンピュータのような、コンテンツデータを蓄積することができる装置である。コンテンツデータは、音楽データ、動画／静止画データ等である。
【００３０】
図１によれば、ホームネットワーク５は、ルータ６を介してインターネット７に接続される。一方で、携帯端末３は、無線リンクによって接続される移動ネットワークを介してインターネット７に接続することができる。これにより、携帯端末３は、インターネット７及びホームネットワーク５を介して、利用者宅内のセットトップボックス１と通信をすることができる。携帯端末３は、例えば、携帯電話機、携帯音楽ビデオ再生装置、携帯情報端末であってもよい。尚、以下では、携帯端末３は、携帯電話機であるとして説明する。
【００３１】
本発明によれば、ＤＬＮＡ(Digital Living Network Alliance)によって規定されたプロトコル「相互接続ガイドライン１．０」（以下「ＤＬＮＡガイドライン」という）に基づいて、セットトップボックス１及び情報家電機器２が、ホームネットワーク５を介して通信する。ＤＬＮＡは、ホームネットワークを介して、コンテンツデータを相互に利用することができる標準規格である。
【００３２】
コンテンツデータを提供する情報家電機器は、ＤＭＳ(Digital Media Server)と称され、そのコンテンツデータを再生する携帯端末は、ＤＭＰ(Digital Media Player)と称される。ＤＬＮＡガイドラインは、ＤＭＳとＤＭＰとの間の接続条件を規定する。ＤＬＮＡガイドラインに準拠した機器同士であれば、ホームネットワークに接続するだけで、特別な設定無しに、相互接続し且つコンテンツデータを共用することができる。
【００３３】
ＤＬＮＡガイドラインによれば、伝送規格は、イーサネット（登録商標）又はIEEE802.11無線ＬＡＮを用いる。通信プロトコルは、ＴＣＰ／ＩＰである。制御メッセージの交換又はファイル転送には、ＨＴＴＰ(HyperText Transfer Protocol)を用い、メッセージは、ＸＭＬ(eXtensible Markup Language)で記述する。動画のデータ形式はＭＰＥＧ２を用い、静止画のデータ形式はＪＰＥＧを用いる。
【００３４】
ＤＬＮＡガイドラインは、ＵＰｎＰ(Universal Plug and Play)技術を中核とする。ＵＰｎＰによって、ＤＭＳ又はＤＭＰにアドレスを割り当てることができ、互いに自動的に認識することができる。UPnP Device Architectureによって規定されたプロトコルによれば、ＤＭＳは、UPnP Media Serverの仕様を用いて、当該機器が所持しているファイルのリストを送信することができる。
【００３５】
次に、図１を用いて、本発明のシーケンスの概要を説明する。
【００３６】
携帯電話機３は、通常、利用者に所持され、外出中も携帯される。そして、利用者は、帰宅した際に、携帯電話機３を充電するために、その携帯電話機３をクレードル４に載せる。本発明は、携帯電話機３がクレードル４に接続されていない外出段階と、クレードル４に接続されている帰宅段階とに分ける。外出段階では、利用者が、当該携帯電話機３へダウンロードすべきコンテンツデータを選択する。また、セットトップボックス１が、そのコンテンツデータを携帯電話機用のデータ形式に変換し、ダウンロード待ち状態としておく。帰宅段階では、携帯電話機３が、セットトップボックス１からコンテンツデータをダウンロードするだけである。これにより、携帯電話機３へコンテンツデータをダウンロードする時間を、極力短くすることができる。
【００３７】
最初に、セットトップボックス１が、情報家電機器２から、ＴＯＣ(Table Of Contents)情報を受信する。ＴＯＣ情報は、少なくともコンテンツ名とコンテンツＩＤ(IDentifier：識別子)とを含むコンテンツテーブルである。ＴＯＣ情報は、例えば、以下のような情報を有する。
【表１】
2008186204.tif 000003
【００３８】
ＤＬＮＡにおけるＤＭＳとなる情報家電機器２は、蓄積する複数のコンテンツデータに対して１つのＴＯＣ情報を常に保持する。
【００３９】
図２は、本発明における携帯電話機の表示内容を表す説明図である。尚、図示されるシーケンス番号（Ｓ３０４〜Ｓ３１１）は、後述する図３のシーケンス番号と一致する。
【００４０】
セットトップボックス１は、情報家電機器２から受信したＴＯＣ情報を、携帯電話機３へ送信する。携帯電話機３は、ＴＯＣ情報をディスプレイに表示する（Ｓ３０４）。
【００４１】
次に、利用者は、キーを用いて、当該携帯電話機３にダウンロードすべきコンテンツデータを選択する（Ｓ３０５）。
【表２】
2008186204.tif 000004
【００４２】
そして、携帯電話機３は、選択コンテンツＩＤをセットトップボックス１へ送信する（Ｓ３０６）。
【００４３】
セットトップボックス１は、携帯電話機３から受信した選択コンテンツＩＤを、情報家電機器２へ送信する。これに対し、情報家電機器２は、選択コンテンツＩＤに対応するコンテンツデータをセットトップボックス１へ送信する。セットトップボックス１は、情報家電機器２から受信したコンテンツデータを保持する。
【００４４】
このとき、セットトップボックス１は、コンテンツデータを、携帯電話機３のデータ形式にトランスコーディングする。比較的に長時間を要するトランスコーディングの処理を、利用者の外出段階で終えておく。
【００４５】
その後、利用者が帰宅し、携帯電話機３をクレードルに載せたとする。これにより、セットトップボックス１は、携帯電話機３と直接的に通信をすることができる。このとき、セットトップボックス１は、情報家電機器２から予め受信していたコンテンツデータを携帯電話機３へ送信する。これにより、携帯電話機３は、利用者が所望するコンテンツデータをダウンロードすることができる。利用者は、携帯電話機３をクレードル４から外し、更に移動した先で、そのコンテンツデータを再生させることができる。
【００４６】
図３は、本発明におけるシーケンス図である。
【００４７】
（Ｓ３０１）セットトップボックス１は、情報家電機器２からＴＯＣ情報を取得するために事前シーケンスを実行する。
（１）セットトップボックス１は、ホームネットワークに接続された情報家電機器を発見する。そのために、Discovery:Searchメッセージを、ホームネットワークへ送信する。情報家電機器（UPnPデバイス）は、Discovery:Responseを返信する。Discovery:Responseには、LOCATIONが含まれる。複数の情報家電機器がホームネットワークに接続されている場合、複数のDiscovery:Responseが、セットトップボックス１によって受信される。
（２）セットトップボックス１は、Discovery:ResponseのLOCATIONへ、Description Requestを送信し、デバイス詳細.xmlを要求する。これに対し、情報家電機器２は、デバイス詳細.xmlを含むDescription Responseを、セットトップボックス１へ返信する。デバイス詳細.xmlには、各サービスのSCPDURLが含まれる。
（３）次に、セットトップボックス１は、各サービスのSCPDURLに基づくサービス詳細.xmlを取得するために、Service Requestを情報家電機器２へ送信する。これに対し、情報家電機器２は、サービス詳細.xmlを含むService Responseをセットトップボックス１へ返信する。
【００４８】
（Ｓ３０２）次に、セットトップボックス１が、情報家電機器２からＴＯＣ情報を取得する。セットトップボックス１は、情報家電機器２のサービス詳細.xmlに基づいて生成したＳＯＡＰ(Simple Object Access Protocol)のControl Actionメッセージを、情報家電機器２へ送信する。これに対し、情報家電機器２は、ＴＯＣ情報を含むControl
Action Responseを、セットトップボックス１へ返信する。
【００４９】
（Ｓ３０３）携帯電話機３は、セットトップボックス１へ呼接続する。
【００５０】
（Ｓ３０４）これに対し、セットトップボックス１は、携帯電話機３へ、ＴＯＣ情報を送信する。第１の実施形態としては、ＴＯＣ情報をそのまま送信する。第２の実施形態としては、以前に当該携帯電話機３へＴＯＣ情報を送信していた場合、先のＴＯＣ情報と現ＴＯＣ情報とを比較し、その差分のみのＴＯＣ情報を送信する。ＴＯＣ情報の情報量が大きい場合、携帯電話機との間の無線通信の狭帯域を考慮して、第２の実施形態の方が有効である。そして、携帯電話機３のディスプレイには、図２のＳ３０４が表示される。
【００５１】
（Ｓ３０５）携帯電話機３は、利用者に、表示されたＴＯＣ情報の中から、当該携帯電話機３にダウンロードすべきコンテンツデータを選択させる。携帯電話機３のディスプレイには、図２のＳ３０５が表示される。
【００５２】
（Ｓ３０６）そして、携帯電話機３は、選択コンテンツ識別子をセットトップボックス３へ送信する。携帯電話機３のディスプレイには、図２のＳ３０６が表示される。
【００５３】
（Ｓ３０７）セットトップボックス１は、携帯電話機３から受信した選択コンテンツ識別子を、情報家電機器２へ送信する。
（Ｓ３０８）これに対し、情報家電機器２は、選択コンテンツ識別子に対応するコンテンツデータを、セットトップボックス１へ送信する。これにより、セットトップボックス１は、携帯電話機３へ送信すべきコンテンツデータを保持することができる。
【００５４】
（Ｓ３０９）セットトップボックス１は、コンテンツデータを、携帯電話機用のデータ形式へトランスコーディングする。
【００５５】
（Ｓ３１０）その後、利用者が帰宅し、携帯電話機３を、セットトップボックス１に接続されるクレードル４に載せたとする。
（Ｓ３１１）このとき、セットトップボックス１は、携帯電話機３へ、トランスコーディングされたコンテンツデータを送信する。携帯電話機３のディスプレイには、図２のＳ３１１が表示される。これにより、携帯電話機３は、外出先で選択したコンテンツデータを蓄積することができる。
【００５６】
図４は、本発明におけるセットトップボックス及び携帯電話機の機能構成図である。
【００５７】
セットトップボックス１は、コンテンツテーブル取得部１０１と、コンテンツテーブル送信部１０２と、選択コンテンツ識別子受信部１０３と、コンテンツデータ取得部１０４と、トランスコーディング部１０５と、コンテンツデータ送信部１０６とを有する。これら機能部は、セットトップボックスに搭載されたコンピュータを機能させるプログラムを実行することによっても実現できる。尚、セットトップボックスは、本発明に基づくプログラムを搭載したパーソナルコンピュータであってもよい。
【００５８】
コンテンツテーブル取得部１０１は、ＤＬＮＡガイドラインを用いて情報家電機器２からＴＯＣ情報を受信する。ＴＯＣ情報は、コンテンツテーブル送信部１０２へ通知される。
【００５９】
コンテンツテーブル送信部１０２は、携帯電話機３が移動ネットワークを介してアクセスしてきた際に、その携帯電話機３へＴＯＣ情報を送信する。
【００６０】
選択コンテンツ識別子受信部１０３は、携帯電話機３から、利用者によって選択された選択コンテンツ識別子を受信する。選択コンテンツ識別子は、コンテンツデータ取得部１０４へ通知される。
【００６１】
コンテンツデータ取得部１０４は、選択コンテンツ識別子を情報家電機器２へ送信し、その情報家電機器２から、選択コンテンツ識別子に対応するコンテンツデータを受信する。コンテンツデータは、トランスコーディング部１０５へ通知される。
【００６２】
トランスコーディング部１０５は、コンテンツデータを、携帯電話機用のデータ形式にトランスコーディングする。トランスコーディングされたコンテンツデータは、コンテンツデータ送信部１０６へ通知される。
【００６３】
コンテンツデータ送信部１０６は、クレードル４に携帯電話機３が接続された際に、携帯電話機３へコンテンツデータを送信する。本発明によれば、必ずしもクレードルを必要としない。携帯電話機３がホームネットワークに接続されればよい。セットトップボックス１が、携帯電話機３がホームネットワークに接続されたことを知った際に、その携帯電話機３へコンテンツデータを送信するものであってもよい。
【００６４】
携帯電話機３は、コンテンツテーブル受信部３０１と、コンテンツ識別子選択部３０２と、選択コンテンツ識別子送信部３０３と、コンテンツデータ受信部３０４とを有する。これら機能部は、携帯電話機に搭載されたコンピュータを機能させるプログラムを実行することによっても実現できる。
【００６５】
コンテンツテーブル受信部３０１は、セットトップボックス１から、ＴＯＣ情報を受信する。ＴＯＣ情報は、コンテンツ識別子選択部３０２へ通知される。
【００６６】
コンテンツ識別子選択部３０２は、利用者に、ＴＯＣ情報の中から、当該携帯電話機３に記録すべきコンテンツデータのコンテンツ識別子を選択させる。選択コンテンツ識別子は、選択コンテンツ識別子送信部３０３へ通知される。
【００６７】
選択コンテンツ識別子送信部３０３は、選択コンテンツ識別子をセットトップボックス１へ送信する。
【００６８】
コンテンツデータ受信部３０４は、クレードル４又はホームネットワーク５に携帯電話機３が接続された際に、セットトップボックス１から、コンテンツデータを受信する。これにより、携帯電話機３は、外出先で選択したコンテンツデータを、自宅でダウンロードすることができる。
【００６９】
以上、詳細に説明したように、本発明のデータ転送方法、サーバ（セットトップボックス）及びプログラムによれば、情報家電機器に蓄積されたコンテンツデータを、極めて短い時間で携帯端末へ転送することができる。
【００７０】
情報家電機器が、放送や通信によって新たなコンテンツデータをリアルタイムに蓄積している。本発明によれば、利用者は、自宅の情報家電機器に記録されている最新のコンテンツの一覧を、外出先で携帯端末によって閲覧することができる。また、利用者は、外出先で、当該携帯端末にダウンロードすべきコンテンツを、予め選択することができる。
【００７１】
また、情報家電機器は、本発明のために特別な機能を搭載することなく、ＤＬＮＡガイドラインに準拠した既存の装置であればよい。
【００７２】
更に、利用者が外出中に、サーバが携帯端末用のデータ形式にトランスコーディングをしているので、利用者が帰宅した時にはデータ形式の変換処理は概ね終わっている。トランスコーディングの種別も、利用者が携帯端末によって、サーバへ指示することもできる。従って、利用者は、帰宅後から再度外出するまでの短時間に、携帯端末へのダウンロードを完了することができる。
【００７３】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００７４】
【図１】本発明におけるシステム構成図である。
【図２】本発明における携帯電話機の表示内容を表す説明図である。
【図３】本発明におけるシーケンス図である。
【図４】本発明におけるセットトップボックス及び携帯電話機の機能構成図である。
【符号の説明】
【００７５】
１  セットトップボックス
１０１  コンテンツテーブル取得部
１０２  コンテンツテーブル送信部
１０３  選択コンテンツ識別子受信部
１０４  コンテンツデータ取得部
１０５  トランスコーディング部
１０６  コンテンツデータ送信部
２  情報家電機器
３  携帯電話機
３０１  コンテンツテーブル受信部
３０２  コンテンツ識別子選択部
３０３  選択コンテンツ識別子送信部
３０４  コンテンツデータ受信部
４  クレードル
５  ホームネットワーク
６  ルータ
７  インターネット
【図１】
2008186204.tif 000005
【図２】
2008186204.tif 000006
【図３】
2008186204.tif 000007
【図４】
2008186204.tif 000008